(57)【要約】【課題】安価で強度が十分得られる２重床用支柱を提供する。【解決手段】下床と、上床９とからなる２重床構造において、下床上に立設され、上床９を下側から支持する支柱１を、基材３と支持材２とから構成する。支持材２は、柱部２１と柱部２１の基端を押し潰して鍔状に形成された基端接続部２２を有している。また、基材３は、柱部２１が挿通する挿通孔３３と、挿通孔３３の周囲に形成された収納部３２１を有し、収納部３２１内の接続部３２２には、複数の突起３２３が形成されている。基材３と支持材２とは、基端接続部２２の接続面２２２と、基材２の突起３２３を押圧させた状態で、プロジェクション溶接することにより、溶着固定される。【選択図】図３
2004068457.tif 000002
【特許請求の範囲】
【請求項１】
下床上に立設され、下床上に間隔を空けて配置される上床を下側から支持する支柱であって、
柱部と、前記柱部の基端において、前記柱部の横断面方向に突出して張り出した基端接続部と、該基端接続部において、前記柱部の軸線に対して直角に形成された基材接続面とを備えた支持材と、
前記支持材の柱部が挿通する孔と、孔の周囲に形成され、前記基材接続面が接触する支持材接続面とを備えた基材とを有し、
前記支持材接続面又は前記基材接続面のいずれか一方には、前記柱部又は孔を中心として、周方向に配置された複数の突起を有し、
前記支持材接続面と前記基材接続面とは、前記複数の突起において、プロジェクション溶接によって溶着されている２重床用支柱。
【請求項２】
前記基材には、前記基端接続部が収納される凹部が設けられている請求項１に記載の２重床用支柱。
【請求項３】
前記基端接続部は、柱部と同一材料により一体形成されている請求項１又は２に記載の２重床用支柱。
【請求項４】
前記突起は、周方向に等間隔で配置されている請求項１￣３のいずれか１つに記載の２重床用支柱。
【発明の詳細な説明】
【０００１】
【発明の属する技術分野】
この発明は、例えばフリーアクセスフロアー等の２重床に用いられる上床を支持する支柱にかかり、詳しくは、支持材と基材とが溶接によって接続されている２重床用支柱に関するものである。
【０００２】
【従来の技術】
従来、クリーンルームや、電算機室などでは、空気の排気ダクトや、電算機やその周辺機器への配線の配置スペースを確保するために、２重床構造が採用されている。この２重床構造は、既存の床面（下床面）上に複数の支柱を配置し、この支柱上に上床材を配置して、上床面を構成し、下床面と上床との間に空間を確保するものである。
【０００３】
このような支柱は、垂直に立設された柱部分と、柱の基端に固定され下床面上に柱部分を垂直に支持する基台部分とから構成されている。そして、従来の支柱では、柱部分と基台部分との接続構造に、以下のようなものがあった。例えば、第１の構造として、正方形の板材で構成された基台に対して、柱の基端を溶接により直接固定するものがある。第２の構造として、板材の中央に形成された孔に柱を挿入し、柱の基端に形成された鍔と基台とを底面側で溶接により固定したものがある。第３の構造として、板材の中央に形成された孔に柱を挿入し、柱の基端において、軸方向に形成された穴を、穴径が広がる方向に変形させる（かしめる）ことにより、柱を板材に固定したものなどがあった。
【０００４】
【発明が解決しようとする課題】
しかし、上記従来の支柱の構成では、以下のような欠点があった。例えば、第１の構造では、横方向の荷重に対して十分な強度を得るために、溶着金属の体積を多くする必要があることと、溶接のための加工時間が長くなることなどの理由から、イニシャルコストが高くなる傾向がある。また、溶接不良があると、著しく強度が劣化する。第２の構造においても、溶着金属を用いた溶接のため、溶接時間が長くなり、イニシャルコストが高くなる。第３の構造では、横方向の荷重に対する強度が弱いという欠点がある。特に、地震などよって上床に横揺れが加わると、柱基端の接合部分が外れてしまうといった問題がある。
この発明の目的は、組み立て時間が短く、十分な強度を有する２重床用支柱を提供することにある。
【０００５】
【課題を解決するための手段】
この目的は、以下の本発明によって達成される。
（１）　下床上に立設され、下床上に間隔を空けて配置される上床を下側から支持する支柱であって、
柱部と、前記柱部の基端において、前記柱部の横断面方向に突出して張り出した基端接続部と、該基端接続部において、前記柱部の軸線に対して直角に形成された基材接続面とを備えた支持材と、
前記支持材の柱部が挿通する孔と、孔の周囲に形成され、前記基材接続面が接触する支持材接続面とを備えた基材とを有し、
前記支持材接続面又は前記基材接続面のいずれか一方には、前記柱部又は孔を中心として、周方向に配置された複数の突起を有し、
前記支持材接続面と前記基材接続面とは、前記複数の突起において、プロジェクション溶接によって溶着されている２重床用支柱。
【０００６】
（２）　前記基材には、前記基端接続部が収納される凹部が設けられている上記（１）に記載の２重床用支柱。
【０００７】
（３）　前記基端接続部は、柱部と同一材料により一体形成されている上記（１）又は（２）に記載の２重床用支柱。
【０００８】
（４）　前記突起は、周方向に等間隔で配置されている上記（１）〜（３）のいずれか１つに記載の２重床用支柱。
【０００９】
【発明の実施の形態】
以下、本発明の好適実施形態について、添付図面に基づいて詳細に説明する。図１は、本発明の２重床用支柱の使用状態を示す、部分断面側面図である。本発明の２重床用支柱１は、支持材２と、基材３とを備えている。支持材２は、柱部２１と、柱部２１の基端に形成された基端接続部２２とを備えている。柱部２１は、横断面が円形の棒状であって、周面には、全長に渡って雄ネジ２１１が形成されている。基端接続部２２は、柱部２１の一端を押し潰して形成されており、柱部２１と一体として構成されている。基端接続部２２は、柱部２１に対して外周方向に延出した鍔状に形成されており、立設された状態で下床面に対抗する底面２２１と、柱部２１の先端側に位置する接続面２２２とを有している。基端接続部２２は、接続面２２２に対して、柱部２１の軸線が垂直に交わるよう形成されている。
【００１０】
図２は、基材３の全体平面図である。基材３は、略正方形に形成された板材で構成されている。基材３は、平らに構成され、下床面に接触する接触面３１１を有する平面部３１と、平面部３１の中央部において、接触面３１１の反対側に隆起した隆起部３２と、隆起部３２の中央に形成された挿通孔３３とを備えている。隆起部３２の接触面３１１側は、接触面３１１の面よりも凹んだ凹部となっており、基端接続部２２を収納する収納部３２１が形成されている。
【００１１】
収納部３２１において、挿通孔３３の周囲に、平面状の接続部３２２が形成されている。図３に示されているように、該接続部３２２には、挿通孔３３を中心として、周方向に等間隔で配置された突起３２３が複数設けられている。この実施形態では突起３２３は６個形成されている。隆起部３２や、突起３２３は、プレス加工によって形成される。従って、製造が容易であり、コスト低減を図ることができる。
【００１２】
以上のように構成された２重床用支柱１は、支持材２と基材３とをプロジェクション溶接によって溶着することによって組み立てられる。図３はプロジェクション溶接をする際の電極の位置を示す拡大断面図である。
支持材側電極５は、基端接続部２２の底面２２１に当接され、基材側電極６は、筒状に形成されており、内側の空間には、柱部２１が挿通する。基材側電極６の内壁は、絶縁材６１によって被覆され、柱部２１と基材側電極６が電気的に接触しないように構成されている。上記２つの電極５、６によって、接続面２２２に突起３２３を圧接させた状態で、電極間に電流を通じ、電流に対する抵抗の発熱によって、各接触部分（突起３２３）を溶接する。このような溶接方法を用いることにより、溶接にかかる時間が短縮できる。また、溶加材が不要となり、製造コストも安価にすることが可能となる。
【００１３】
プロジェクション溶接により基材３と支持材２とを溶着する構成とすることによって、次のような利点がある。第１に、溶接時間が短いため、製造時間を短縮でき、安価に製造できる。第２に、基材３と支持材２との接合強度を向上するには、両者の接触面積を増やす必要があるが、接触面積を増加させると、溶接に必要な溶着金属の量も増やす必要があり、コスト高や加工時間の長時間化につながってしまう。しかし、プロジェクション溶接による場合には、溶着金属は不要であり、また、突起３２３が配置される周囲径を大きくし、突起３２３の数を増やせば、強度をさらに強化できる。また、この場合には、溶着のための加工時間もほとんど変わらない。特に、図１に示されているような、横方向の荷重（矢印ａ）に対しても、十分な強度を備えた支柱１を構成することができる。
【００１４】
以上のように構成された本発明の２重床用支柱は、図１に示されているように、柱部２１の先端に支持具７が装着される。柱部２１には、位置決めのためのナット８１が螺合され、位置決め手段であるナット８１の位置によって、支持具７の装着高さが決定される。ナット８１には、ワッシャ８２を介して支持具７が載置される。支持具７には、柱部２１が挿入される挿入部７１と、上床材９が載置される支持部７２とを備えている。支持部７２には、上床材９の端部が付き合わされた状態で載置される。このようにして、下床と上床材９との間に空間が形成され、空気の排気ダクトとして、或いは配線を配置する空間として利用される。
【００１５】
以上のように構成された本発明の２重床支柱は、突起の形成位置を、基端接続部２２の接続面２２２側としてもよい。また、基材３には、四隅の位置に、下床に埋設されたボルトを挿通させる孔３５を形成し、下床にボルト締着により固定する構成とすることもできる。
【００１６】
【発明の効果】
請求項１に記載の発明によれば、プロジェクション溶接により支持材と基材を接続することで、安価に製造でき、かつ横荷重に対して十分な強度を有する支柱を構成することができる。
請求項２に記載の発明によれば、基材に基端接続部を収納する凹部を設け、その周囲を下床面に接触する接触面で囲むことで、支柱の安定性が向上する。
【００１７】
請求項３に記載の発明によれば、基端接続部を支柱と同一材料にて構成することにより、強度が向上する。特に、柱部の端部を潰して基端接続部を形成した構成とすることによって、製造コストも安価にすることができる。
請求項４に記載の発明によれば、突起を周方向に等間隔で配置することによって、どのような方向の横荷重に対しても、より均等な強度を発揮することができる。
【図面の簡単な説明】
【図１】本発明の２重床用支柱の使用状態を示す、部分断面側面図である。
【図２】基材の全体平面図である。
【図３】プロジェクション溶接をする際の電極の位置を示す拡大断面図である。
【符号の説明】
１　　２重床用支柱
２　　支持材
２１　柱部
２２　基端接続部
２２２　接続面
３　　基材
３１　平面部
３１１　接触面
３２　隆起部
３２１　収納部
３２３　突起
３３　挿通孔
５　電極
６　電極
７　支持具
８１　ナット
【図１】
2004068457.tif 000003
【図２】
2004068457.tif 000004
【図３】
2004068457.tif 000005